(57)【要約】【課題】輸送時に計量装置と通信装置とカバーとがバラバラになることを回避し、容易に持ち運びでき、容易にカバーを取付及び取外しできる電力量計及び電力量計用治具。【解決手段】電力量計用治具１５は、計量装置４、５で計量された電力量を外部に送信する通信装置を支える治具本体１５ｃと、治具本体に形成され、計量装置を取り付けるための計量装置取付部１５ｂと、治具本体に形成され、通信装置及び端子ブロック１０をカバーするためのカバーを取り付けるためのカバー取付部１５ａと、治具本体に連結され、カバーの重みによる治具本体の傾きを防止するように治具本体を支持する傾き防止支持部１６とを備える。【選択図】図１
2019105493.tif 000002
【特許請求の範囲】
【請求項１】
計量装置で計量された電力量を外部に送信する通信装置を支える治具本体と、
前記治具本体に形成され、前記計量装置を取り付けるための計量装置取付部と、
前記治具本体に形成され、前記通信装置及び端子ブロックをカバーするためのカバーを取り付けるためのカバー取付部と、
前記治具本体に連結され、前記カバーの重みによる前記治具本体の傾きを防止するように前記治具本体を支持する傾き防止支持部と、
を備えることを特徴とする電力量計用治具。
【請求項２】
前記カバーにはカバー開口部が形成され、前記治具本体には前記カバー開口部に対応する位置に手持部が形成されていることを特徴とする請求項１記載の電力量計用治具。
【請求項３】
前記カバーにはカバー開口部が形成され、前記カバー開口部に位置するように、前記カバー取付部には前記カバーに嵌合する爪部が形成されていることを特徴とする請求項１記載の電力量計用治具。
【請求項４】
計量装置で計量された電力量を外部に送信する通信装置を支える治具本体と、
前記治具本体に形成され、前記計量装置を２つ以上のねじで取り付けるための計量装置取付部と、
前記治具本体に形成され、前記通信装置及び端子ブロックをカバーするためのカバーを１つのねじで取り付けるためのカバー取付部とを備え、
前記カバーにはカバー開口部が形成され、前記治具本体には前記カバー開口部に対応する位置に手持部を備えることを特徴とする電力量計用治具。
【請求項５】
前記カバー開口部に位置するように、前記カバー取付部には前記カバーに嵌合する爪部が形成されていることを特徴とする請求項４記載の電力量計用治具。
【請求項６】
計量装置で計量された電力量を外部に送信する通信装置を支える治具本体と、
前記治具本体に形成され、前記計量装置のベースに形成された治具取付部に嵌合するための爪部が形成された計量装置取付部と、
前記治具本体に形成され、前記通信装置及び端子ブロックをカバーするためのカバーを取り付けるためのカバー取付部と、
を備えることを特徴とする電力量計用治具。
【請求項７】
前記カバーにはカバー開口部が形成され、前記治具本体には前記カバー開口部に対応する位置に手持部が形成されていることを特徴とする請求項６記載の電力量計用治具。
【請求項８】
前記カバーにはカバー開口部が形成され、前記カバー開口部に位置するように、前記カバー取付部には前記カバーに嵌合する爪部が形成されていることを特徴とする請求項６又は請求項７記載の電力量計用治具。
【請求項９】
計量装置で計量された電力量を外部に送信する通信装置を支え且つ端子ブロックに覆い被さるように設置可能な治具本体と、
前記治具本体に取付可能な治具取付部と、
前記治具取付部に形成され、前記計量装置を取り付けるための計量装置取付部と、
前記治具取付部に形成され、前記通信装置及び端子ブロックをカバーするためのカバーを取り付けるためのカバー取付部と、
を備え、
前記治具取付部は、前記治具取付ねじを外して下方にスライドして前記計量装置の端子ブロック取付部から取り外され、前記治具本体は、正面側にスライドして前記端子ブロックから取り外されることを特徴とする電力量計用治具。
【請求項１０】
前記カバーにはカバー開口部が形成され、前記治具取付部には前記カバー開口部に対応する位置に手持部が形成されていることを特徴とする請求項９記載の電力量計用治具。
【請求項１１】
前記カバーにはカバー開口部が形成され、前記カバー開口部に位置するように、前記カバー取付部には前記カバーに嵌合する爪部が形成されていることを特徴とする請求項９又は請求項１０記載の電力量計用治具。
【請求項１２】
電力量を計量する計量装置と、
前記計量装置で計量された電力量を外部に送信する通信装置と、
端子ブロックをカバーするためのカバーと、
請求項１乃至請求項１１のいずれか１項記載の電力量計用治具と、
を備えることを特徴とする電力量計。
【発明の詳細な説明】
【技術分野】
【０００１】
本発明は、通信装置と計量装置とカバーとを備えた電力量計及び電力量計に用いられる電力量計用治具に関する。
【背景技術】
【０００２】
電力量計は、計量装置、計量装置で計量された電力量を外部に送信する通信装置、端子ブロック、カバーを備えている。
【０００３】
図１７は、従来の電力量計の斜視図である。図１７（ａ）、図１７（ｂ）は電力量計の外観を示し、図１７（ｃ）はカバー１１を取り外して、通信装置をベース４に取り付けた状態を示し、図１７（ｄ）は通信装置を外した状態を示す。図１８は、従来の電力量計の計量装置の斜視図である。図１９は、従来の電力量計の通信装置の斜視図であり、上ケース１２Ａと下ケース１３Ａとで形成され、計量装置接続用コネクタ１３ａ、計量装置取付部１３ｂを有している。
【０００４】
図２０、図２１は、計量装置、端子ブロック、カバーを分解した斜視図である。計量装置は、電力量を表示する表示部１ａ及び通信装置接続用コネクタ１ｂを有する基板１（回路部）と、基板接続部３ａと端子接続部３ｂを備える導体部３と、導体部３に流れる電流を検出するセンサ部２と、コネクタ通し穴４ａと通信装置取付部４ｂと端子ブロック取付部４ｃとを備えるベース４と、これらを収納するケース５で構成されている。
【０００５】
端子ブロックは、端子ブロック取付ねじ６、導体接続ねじ７、電流線取付ねじ８、端子９、ベース取付部１０ａとカバー取付部１０ｂと電流線通し穴１０ｃを備えているブロック１０で構成されている。カバーは、カバー１１とカバー取付ねじ１２で構成されている。
【０００６】
計量装置の端子接続部３ｂが、端子ブロックの導体接続ねじ７で端子９に固定され、計量装置の端子ブロック取付部４ｃが、端子ブロック取付ねじ６で端子ブロックのベース取付部１０ａに固定されることで、計量装置と端子ブロックが組み立てられる。
【０００７】
その後、通信装置の計量装置取付部１３ｂを、計量装置の通信装置取付部４ｂに嵌合させ、通信装置の計量装置接続用コネクタ１３ａを、計量装置のコネクタ通し穴４ａを通して、基板１の通信装置接続用コネクタ１ｂに接続し、カバーに備えられているカバー取付ねじ１２を端子ブロックのカバー取付部１０ｂに取り付けることで、電力量計が組み立てられる。
【０００８】
電力量交換時には、設置された端子ブロック１０は流用するため、計量装置と通信装置とカバーを別々に用意する必要がある。また、取り外した計量装置、通信装置、カバーを一つにまとめて持ち帰る必要がある。
【０００９】
なお、従来技術として、端子台に接続されている電源側給電用導線及び負荷側給電用導線を取り外す必要がなく、給電制御装置の着脱作業を容易かつ安全に行うことができる電力量計が知られている。（特許文献１）
【先行技術文献】
【特許文献】
【００１０】
【特許文献１】特許第４９９１３４０号公報
【発明の概要】
【発明が解決しようとする課題】
【００１１】
しかしながら、計量装置と通信装置とカバーとを分離して持ち運ぶことは、不便であり、同時に電力量計を大量に輸送する時には、計量装置と通信装置とカバーとがバラバラになる可能性がある。計量装置と通信装置とは、１対１に組み合わられており、計量装置と通信装置とがバラバラになると、探し出す必要がある。
【００１２】
また、単品で計量装置と通信装置とカバーとのそれぞれを手で持ち運ぶときには、落下させる可能性がある。また、計量装置を端子ブロックに取り付ける際に、計量装置の端子接続部が端子ブロックの異極端子間を短絡させる可能性がある。
【００１３】
本発明の課題は、計量装置と通信装置とカバーとを一体化することで、輸送時に計量装置と通信装置とカバーとがバラバラになることを回避し、容易に持ち運びでき、容易にカバーを取付及び取外しでき、計量装置の取付時の施工性を向上させ、計量装置の取付時の短絡を防止できる電力量計及び電力量計用治具を提供する。
【課題を解決するための手段】
【００１４】
上記課題を解決するために、本発明に係る請求項１の電力量計用治具は、計量装置で計量された電力量を外部に送信する通信装置を支える治具本体と、前記治具本体に形成され、前記計量装置を取り付けるための計量装置取付部と、前記治具本体に形成され、前記通信装置及び端子ブロックをカバーするためのカバーを取り付けるためのカバー取付部と、前記治具本体に連結され、前記カバーの重みによる前記治具本体の傾きを防止するように前記治具本体を支持する傾き防止支持部とを備えることを特徴とする。
【００１５】
請求項２の電力量計用治具は、前記カバーにはカバー開口部が形成され、前記治具本体には前記カバー開口部に対応する位置に手持部が形成されていることを特徴とする。
【００１６】
請求項３の電力量計用治具は、前記カバーにはカバー開口部が形成され、前記カバー開口部に位置するように、前記カバー取付部には前記カバーに嵌合する爪部が形成されていることを特徴とする。
【００１７】
請求項４の電力量計用治具は、計量装置で計量された電力量を外部に送信する通信装置を支える治具本体と、前記治具本体に形成され、前記計量装置を２つ以上のねじで取り付けるための計量装置取付部と、前記治具本体に形成され、前記通信装置及び端子ブロックをカバーするためのカバーを１つのねじで取り付けるためのカバー取付部とを備え、前記カバーにはカバー開口部が形成され、前記治具本体には前記カバー開口部に対応する位置に手持部を備えることを特徴とする。
【００１８】
請求項５の電力量計用治具は、前記カバー開口部に位置するように、前記カバー取付部には前記カバーに嵌合する爪部が形成されていることを特徴とする。
【００１９】
請求項６の電力量計用治具は、計量装置で計量された電力量を外部に送信する通信装置を支える治具本体と、前記治具本体に形成され、前記計量装置のベースに形成された治具取付部に嵌合するための爪部が形成された計量装置取付部と、前記治具本体に形成され、前記通信装置及び端子ブロックをカバーするためのカバーを取り付けるためのカバー取付部とを備えることを特徴とする。
【００２０】
請求項７の電力量計用治具は、前記カバーにはカバー開口部が形成され、前記治具本体には前記カバー開口部に対応する位置に手持部が形成されていることを特徴とする。
【００２１】
請求項８の電力量計用治具は、前記カバーにはカバー開口部が形成され、前記カバー開口部に位置するように、前記カバー取付部には前記カバーに嵌合する爪部が形成されていることを特徴とする。
【００２２】
請求項９の電力量計用治具は、計量装置で計量された電力量を外部に送信する通信装置を支え且つ端子ブロックに覆い被さるように設置可能な治具本体と、前記治具本体に取付可能な治具取付部と、前記治具取付部に形成され、前記計量装置を取り付けるための計量装置取付部と、前記治具取付部に形成され、前記通信装置及び端子ブロックをカバーするためのカバーを取り付けるためのカバー取付部とを備え、前記治具取付部は、前記治具取付ねじを外して下方にスライドして前記計量装置の端子ブロック取付部から取り外され、前記治具本体は、正面側にスライドして前記端子ブロックから取り外されることを特徴とする。
【００２３】
請求項１０の電力量計用治具は、前記カバーにはカバー開口部が形成され、前記治具取付部には前記カバー開口部に対応する位置に手持部が形成されていることを特徴とする。
【００２４】
請求項１１の電力量計用治具は、前記カバーにはカバー開口部が形成され、前記カバー開口部に位置するように、前記カバー取付部には前記カバーに嵌合する爪部が形成されていることを特徴とする。
【００２５】
請求項１２の電力量計は、電力量を計量する計量装置と、前記計量装置で計量された電力量を外部に送信する通信装置と、端子ブロックをカバーするためのカバーと、請求項１乃至請求項１１のいずれか１項記載の電力量計用治具とを備えることを特徴とする。
【発明の効果】
【００２６】
本発明によれば、輸送時にバラバラになることを回避し、容易に持ち運びでき、容易にカバーを取付及び取外しでき、計量装置の取付時の施工性を向上させ、計量装置の取付時の短絡を防止できる電力量計及び電力量計用治具を提供することができる。
【図面の簡単な説明】
【００２７】
【図１】本発明の実施例１に係る電力量計と電力量計用治具との斜視図である。
【図２】本発明の実施例２に係る電力量計と電力量計用治具との斜視図である。
【図３】本発明の実施例３に係る電力量計と電力量計用治具との斜視図である。
【図４】本発明の実施例３に係る電力量計用治具の詳細な斜視図である。
【図５】本発明の実施例４に係る電力量計用治具の詳細な斜視図である。
【図６】本発明の実施例５に係る電力量計用治具の詳細な斜視図である。
【図７】本発明の実施例６に係る電力量計と電力量計用治具との斜視図である。
【図８】本発明の実施例６に係る電力量計用治具の詳細な斜視図である。
【図９】本発明の実施例７に係る電力量計用治具の詳細な斜視図である。
【図１０】本発明の実施例８に係る電力量計用治具の詳細な斜視図である。
【図１１】本発明の実施例９に係る電力量計と、治具本体及び治具取付部からなる電力量計用治具との斜視図である。
【図１２】本発明の実施例９に係る電力量計用治具の詳細な斜視図である。
【図１３】本発明の実施例９に係る電力量計用冶具を利用して、端子ブロックに電力量計を取り付ける一連の過程を示した斜視図である。
【図１４】本発明の実施例９に係る電力量計用冶具を利用して、端子ブロックに電力量計を取り付ける一連の過程を示した斜視図である。
【図１５】本発明の実施例１０に係る電力量計用治具の詳細な斜視図である。
【図１６】本発明の実施例１１に係る電力量計用治具の詳細な斜視図である。
【図１７】従来の電力量計の斜視図である。
【図１８】従来の計量装置の斜視図である。
【図１９】従来の通信装置の斜視図である。
【図２０】従来の計量装置、端子ブロック、カバーの分解斜視図である。
【図２１】従来の計量装置、端子ブロック、カバーの分解斜視図である。
【発明を実施するための形態】
【００２８】
以下、本発明の実施の形態に係る電力量計用治具及び電力量計について、図面を参照しながら詳細に説明する。
【００２９】
（実施例１）
図１（ａ）は実施例１に係る電力量計用治具を計量装置に取り付けた状態を示す斜視図である。図１（ｂ）は電力量計用治具に支持された通信装置を計量装置に取り付けた状態を示す斜視図である。図１（ｃ）は電力量計用治具をカバーに取り付けた交換用電力量計を示す斜視図である。図１（ｄ）は電力量計用治具の詳細な構成を示す斜視図である。
【００３０】
交換用電力量計は、電力量を計量する計量装置と、計量装置に取り付けられ計量装置で計量された電力量を外部に送信する通信装置と、カバーと、電力量計用治具とを備える。
【００３１】
電力量計用治具１５は、ポリカーボネート等の樹脂からなり、図１（ｄ）に示すように、治具本体１５ｃと、計量装置取付部１５ｂと、カバー取付部１５ａと、傾き防止支持部１６とを備えている。治具本体１５ｃは、通信装置を支える平板状の長手部材からなる。計量装置取付部１５ｂは、治具本体１５ｃの一端にねじ穴として形成され、治具取付ねじ１７で計量装置の端子ブロック取付部４ｃを取り付ける。
【００３２】
カバー取付部１５ａは、治具本体１５ｃの他端にねじ穴として形成され、カバーに形成された突起部１１ｂ内を通るカバー取付ねじ１２でカバーを取り付ける。傾き防止支持部１６は、治具本体１５ｃに連結された平板からなり、一側面がベース４に接触することでカバーの重みによる治具本体１５ｃの傾きを防止するように治具本体１５ｃを支持する。
【００３３】
このように構成された実施例１に係る電力量計用治具によれば、治具本体１５ｃが通信装置を支え、傾き防止支持部１６が治具本体１５ｃの傾きを防止するように治具本体１５ｃを支持し、治具本体１５ｃに形成された計量装置取付部１５ｂが治具取付ねじ１７で計量装置を取り付け、治具本体１５ｃに形成されたカバー取付部１５ａがねじでカバーを取り付ける。従って、計量装置と通信装置とカバーとを一体化することができる。
【００３４】
また、端子ブロックに比べて、端子やねじが不要になり、計量装置のベース４との取り付け及びカバーとの取り付けが１箇所のみで済むため、電力量計用治具の材料費を削減することができる。また、取り付け時の施工性を向上することができる。
【００３５】
（実施例２）
図２（ａ）は実施例２に係る電力量計用治具を計量装置に取り付けた状態を示す図である。図２（ｂ）は電力量計用治具に支持された通信装置を計量装置に取り付けた状態を示す図である。図２（ｃ）は電力量計用治具をカバーに取り付けた交換用電力量計を示す図である。図２（ｄ）、図２（ｅ）は電力量計用治具の詳細な構成を示す斜視図である。
【００３６】
実施例２の電力量計用治具１５Ａは、略箱体をなしており、治具本体１５ｃと、治具本体１５ｃに対して略直角に折り曲げられた側面部１５ｄと、切欠部１５ｅと、開口部１５ｇと、手持部１５ｆとで構成されている。治具本体１５ｃは、略三角形状の平板からなり、通信装置を支える。治具本体１５ｃには、カバー取付部１５ａと計量装置取付部１５ｂとが形成されている。側面部１５ｄは、図１に示す傾き防止支持部１６として機能し、ベース４に接触している。
【００３７】
切欠部１５ｅは、治具本体１５ｃの前面部が治具本体１５ｃに対して略直角に切り欠かれたもので、切欠部１５ｅの先端には、細長い四角形の手持部１５ｆが形成されている。図１（ｃ）に示すように、カバーにはカバー開口部１１ａが形成され、手持部１５ｆは、カバー開口部１１ａに対応する位置に形成されている。なお、切欠部１５ｅにより治具本体開口部１５ｇが形成されている。
【００３８】
このように構成された実施例２に係る電力量計用治具によれば、治具本体１５ｃが通信装置を支え、側面部１５ｄが治具本体１５ｃの傾きを防止するように治具本体を支持し、治具本体１５ｃに形成された計量装置取付部１５ｂが治具取付ねじ１７で計量装置を取り付け、治具本体１５ｃに形成されたカバー取付部１５ａがねじでカバーを取り付ける。従って、計量装置と通信装置とカバーとを一体化することができる。これにより、実施例１の電力量計用治具及び電力量計の効果と同様な効果が得られる。
【００３９】
また、カバー開口部１１ａに対応する位置に手持部１５ｆが形成されているので、電力量計用治具の手持部１５ｆを持つことで、電力量計の持ち運びが容易になる。
【００４０】
（実施例３）
図３（ａ）は実施例３に係る電力量計用治具を計量装置に取り付けた状態を示す図である。図３（ｂ）は電力量計用治具に支持された通信装置を計量装置に取り付けた状態を示す図である。図３（ｃ）は電力量計用治具をカバーに取り付けた交換用電力量計を示す図である。図３（ｄ）はカバーを電力量計用治具の爪部が押さえている状態を示す断面図である。図４（ｅ）（ｆ）は実施例３に係る電力量計用治具の詳細な斜視図である。
【００４１】
実施例３に係る電力量計用治具１５Ｂは、カバーをねじで固定するカバー取付部１５ａを削除し、カバー取付ねじ１２を避ける切欠部１２ａ２が設けられている。
【００４２】
カバー取付部１５ｈは、手持部１５ｆに連結されて形成され且つカバーを取り付けるように手持部１５ｆから突起している。図１（ｃ）に示すように、カバーにはカバー開口部１１ａが形成され、カバー開口部１１ａに位置するように、カバー取付部１５ｈにはカバーに嵌合するスナップフィットを利用した爪部１５ｉ、１５ｊが形成されている。爪部１５ｉは、カバー取付部１５ｈの先端の左右に２か所形成されている。爪部１５ｊは、カバー取付部１５ｈの略中央部に１か所に形成されている。カバー上部は計量器のケース内に嵌め込み、カバー下部がカバーの爪部１５ｊと１５ｊの間に嵌め込むことにより取り付けられる。
【００４３】
このように構成された実施例３に係る電力量計用治具によれば、治具本体１５ｃが通信装置を支え、側面部１５ｄが治具本体１５ｃの傾きを防止するように治具本体を支持し、治具本体１５ｃに形成された計量装置取付部１５ｂが治具取付ねじ１７で計量装置を取り付け、カバー取付部１５ｈに形成された爪部１５ｉ、１５ｊがカバーに嵌合する。即ち、電力量計用治具により、計量装置と通信装置とカバーとを一体化することができる。
【００４４】
これにより、実施例１、２の電力量計用治具の効果と同様な効果が得られる。また、カバーの取り付け及び取り外しが容易になる。
【００４５】
（実施例４）
図５（ａ）（ｂ）は、実施例４に係る電力量計用治具の詳細な斜視図である。実施例４に係る電力量計用治具１５Ｃは、長方形の平板からなる治具本体１５ｃと治具本体１５ｃに対して略直角に折り曲げられた側面部１５ｄとを有する。治具本体１５ｃには中央部に長方形の治具本体開口部１５ｍが形成され、上部及び下部の２箇所に長手部１５ｌを有する。上部の長手部１５ｌの左右端にはそれぞれ計量装置取付部１５ｂが形成されている。
【００４６】
下部の長手部１５ｌの略中央部には１つのカバー取付部１５ａが形成されている。また、図１（ｃ）に示すように、カバーにはカバー開口部１１ａが形成され、治具本体１５ｃにはカバー開口部１１ａに対応する位置に手持部１５ｆが形成されている。
【００４７】
このように構成された実施例４に係る電力量計用治具によれば、治具本体１５ｃと長手部１５ｌが通信装置を支え、治具本体１５ｃに形成された２つの計量装置取付部１５ｂが治具取付ねじ１７で計量装置を取り付け、治具本体１５ｃに形成されたカバー取付部１５ａがカバーを取り付ける。従って、計量装置と通信装置とカバーとを一体化することができる。これにより、実施例２の電力量計用治具の効果と同様な効果が得られる。
【００４８】
（実施例５）
図６（ａ）（ｂ）は、実施例５に係る電力量計用治具の詳細な斜視図である。実施例５に係る電力量計用治具１５Ｄは、長方形の平板からなる治具本体１５ｃと治具本体１５ｃに対して略直角に折り曲げられた側面部１５ｄとを有する。治具本体１５ｃには、中央部に長方形の治具本体開口部１５ｍが形成され、上部及び下部の２箇所に長手部１５ｌを有する。上部の長手部１５ｌの左右端にはそれぞれ計量装置取付部１５ｂが形成されている。
【００４９】
図１（ｃ）に示すように、カバーにはカバー開口部１１ａが形成され、治具本体１５ｃにはカバー開口部１１ａに対応する位置に手持部１５ｆが形成されている。また、カバー開口部１１ａに位置するように、カバー取付部１５ｈにはカバーに嵌合する爪部１５ｉ、１５ｊが形成されている。
【００５０】
このように構成された実施例５に係る電力量計用治具によれば、治具本体１５ｃと長手部１５ｌが通信装置を支え、２つの計量装置取付部１５ｂが治具取付ねじ１７で計量装置を取り付け、カバー取付部１５ｈに形成された爪部１５ｉ、１５ｊがカバーに嵌合する。即ち、電力量計用治具により、計量装置と通信装置とカバーとを一体化することができる。これにより、実施例２、３の電力量計用治具の効果と同様な効果が得られる。
【００５１】
（実施例６）
図７（ａ）は実施例６に係る電力量計用治具を計量装置に取り付けた状態を示す斜視図である。図７（ｂ）は電力量計用治具に支持された通信装置を計量装置に取り付けた状態を示す斜視図である。図７（ｃ）は電力量計用治具をカバーに取り付けた交換用電力量計を示す斜視図である。図７（ｄ）は計量装置のベースを示す斜視図である。図８（ｅ）（ｆ）は、実施例６に係る電力量計用治具の詳細な斜視図である。
【００５２】
実施例６に係る電力量計用治具１５Ｅは、長方形の平板からなる治具本体１５ｃと治具本体１５ｃに対して略直角に折り曲げられた側面部１５ｄとを有する。治具本体１５ｃには、中央部に長方形の治具本体開口部１５ｍが形成され、上部及び下部の２箇所に長手部１５ｌを有する。左右の側面部１５ｄには、側面部１５ｄの長手部の略中央から長手方向に沿って左右２箇所に切欠溝１５ｐが形成されている。切欠溝１５ｐは、上部の長手部１５ｌ側に形成されている。
【００５３】
左右２箇所の切欠溝１５ｐ間で且つ側面部１５ｄの先端には、計量装置のベース４に形成された治具取付部４ｅに嵌合するための計量装置爪部１５ｎが爪として形成されている。下部の長手部１５ｌの略中央部には１つのカバー取付部１５ａが形成されている。
【００５４】
ベース４には、図７（ｄ）に示すように、上面部と側面部とからなるＬ字の端子ブロック取付部４ｄが左右２箇所に形成されている。側面部には溝からなる治具取付部４ｅが形成されている。
【００５５】
このように構成された実施例６に係る電力量計用治具によれば、電力量計用治具に形成された計量装置爪部１５ｎが計量装置のベース４に形成された治具取付部４ｅに嵌合することで、計量装置を取り付け、カバー取付部１５ａがカバーを取り付ける。従って、計量装置と通信装置とカバーとを一体化することができる。これにより、実施例１の電力量計用治具及び電力量計の効果と同様な効果が得られる。また、計量装置の取り付け及び取り外しが容易になる。
【００５６】
（実施例７）
図９（ａ）（ｂ）は実施例７に係る電力量計用治具の詳細な斜視図である。実施例７に係る電力量計用治具１５Ｆは、図８に示す電力量計用治具１５Ｅの構成に対して、さらに、カバーにはカバー開口部１１ａが形成され、治具本体１５ｃにはカバー開口部１１ａに対応する位置に手持部１５ｆが形成されている。
【００５７】
このように構成された実施例７に係る電力量計用治具によれば、実施例６に係る電力量計用治具の効果が得られるとともに、さらに、電力量計用治具の手持部１５ｆを持つことで、電力量計の持ち運びが容易になる。
【００５８】
（実施例８）
図１０（ａ）（ｂ）は実施例８に係る電力量計用治具の詳細な斜視図である。実施例８に係る電力量計用治具１５Ｇは、図９に示す電力量計用治具１５Ｆの構成に対して、さらに、図１（ｃ）に示すように、カバーにはカバー開口部１１ａが形成され、カバー開口部１１ａに位置するように、カバー取付部１５ｈにはカバーに嵌合する爪部１５ｉ、１５ｊが形成されている。
【００５９】
このように構成された実施例８に係る電力量計用治具によれば、実施例６に係る電力量計用治具の効果が得られるとともに、さらに、カバー取付部１５ｈに形成された爪部１５ｉ、１５ｊがカバーに嵌合する。即ち、電力量計用治具により、計量装置と通信装置とカバーとを一体化することができる。
【００６０】
これにより、実施例１の電力量計用治具の効果と同様な効果が得られるとともに、さらに、カバーの取り付け及び取り外しが容易になる。
【００６１】
（実施例９）
図１１（ａ）は実施例９に係る電力量計用治具を計量装置に取り付けた状態を示す斜視図である。図１１（ｂ）は電力量計用治具に支持された通信装置を計量装置に取り付けた状態を示す斜視図である。図１１（ｃ）は電力量計用治具をカバーに取り付けた交換用電力量計を示す斜視図である。図１１（ｄ）（ｅ）は電力量計用治具の詳細な斜視図である。図１２（ｆ）（ｇ）は、電力量計用治具を構成する治具本体の詳細な斜視図である。図１２（ｈ）（ｉ）は、電力量計用治具を構成する治具取付部の詳細な斜視図である。
【００６２】
電力量計用治具は、略Ｈ字状をなす治具本体１５Ｈと、治具本体１５Ｈに取り付けられる治具取付部１５Ｉとで構成されている。治具本体１５Ｈは、長手部１５ｑと、長手部１５ｑに対して略直角に折り曲げられた２つの側面部１５ｓとからなる。長手部１５ｑの左右端には四角の穴１５ｒが形成されている。四角の穴１５ｒには、図１３（ｋ）に示すように、端子ブロック取付ねじ６が収まるようになっている。
【００６３】
側面部１５ｓには凹部１５ｔが形成されており、凹部１５ｔの一部には側面部１５ｓの長手方向に沿って長方形の切欠溝１５ｕが形成されている。
【００６４】
治具取付部１５Ｉは、上部及び下部の長手部１５ｖと、長手部１５ｖに対して略直角に折り曲げられた２つの側面部１５ｗとで構成されている。上部の長手部１５ｖの左右には計量装置取付部１５ｚがねじ穴として形成されている。また、側面部１５ｗの内側面には、長手方向に沿って凸部１５ｙが形成されている。
【００６５】
治具本体１５Ｈと治具取付部１５Ｉとの組立は、治具本体１５Ｈの側面部１５ｓの凹部１５ｔに、治具取付部１５Ｉの側面部１５ｗが嵌合するとともに、治具本体１５Ｈの切欠溝１５ｕに、治具取付部１５Ｉの凸部１５ｙが嵌合することで組み立てられる。このように組み立てられた治具本体１５Ｈと治具取付部１５Ｉは、治具取付部１５Ｉの側面部１５ｗと凸部１５ｙが、治具本体１５Ｈの側面部に形成された凹部１５ｔと切欠溝１５ｕを摺動することができる。
【００６６】
また、カバー取付部１５ａは、治具取付部１５Ｉの下部の長手部１５ｖに形成され、カバーを取り付ける。計量装置への取付は、電力量計用冶具の計量装置取付部１５ｚを、計量装置の端子ブロック取付部４ｃに治具取付ねじ１７で取り付けられる。
【００６７】
次に、図１３及び図１４を順に参照しながら、実施例９の電力量計用治具の動作を説明する。まず、図１３（ｊ）では、治具本体１５Ｈに治具取付部１５Ｉが取り付けられた電力量計用治具を計量装置に取り付けた交換用電力量計を、端子ブロックに取り付ける前の状態を示す。端子ブロック３０は電流線２１に接続され、取付台２０に取り付けられている。
【００６８】
図１３（ｋ）は、交換用電力量計を端子ブロックに取り付けた状態を示す。治具本体１５Ｈは、端子ブロックに覆い被さるように設置され、計量装置と取付台２０の間には空間が存在する状態である。図１３（ｌ）は、治具取付ねじ１７を外し、治具取付部１５Ｉを治具本体１５Ｈの内側側面をガイドとして下方にスライドさせて、計量装置の端子ブロック取付部４ｃから取り外した状態を示す。
【００６９】
図１３（ｍ）は、計量装置を取付台２０側に押し付けて、計量装置と取付台の間に空間がない状態を示す。図１４（ｎ）は、治具本体１５Ｈを正面側に引き出した状態を示す。この状態において、穴１５ｒが端子ブロック取付ねじ６を超えるため、電力量計用治具を下方にスライドできる状態になる。図１４（ｏ）は、計量装置と電力量計用治具を下方にスライドすることにより、計量装置が端子ブロックに設置された状態を示す。この状態において、電力量計用治具を取り外せる状態になる。図１４（ｐ）は、電力量計用治具を取り外して、計量装置が端子ブロックに設置した状態を示す。この一連の手順により、計量装置を端子ブロックに垂直に降ろすことができるため、計量装置の端子接続部が端子ブロックの異極端子間で短絡することを防止することができる。
【００７０】
（実施例１０）
図１５（ａ）（ｂ）は本発明の実施例１０に係る電力量計用治具の詳細な斜視図である。図１５（ａ）（ｂ）に示すように、治具本体１５Ｈ１に治具取付部１５Ｉ１が取り付けられている。図１（ｃ）に示すように、カバーにはカバー開口部１１ａが形成され、治具取付部１５Ｉ１にはカバー開口部１１ａに対応する位置に手持部１５ｆが形成されている。その他の構成は、図１１乃至図１４に示す構成と同一である。
【００７１】
このように構成された実施例１０に係る電力量計用治具によれば、実施例９の電力量計用治具の効果が得られるとともに、手持部１５ｆを設けたことで、電力量計を容易に持ち運びできる。
【００７２】
（実施例１１）
図１６（ａ）（ｂ）は本発明の実施例１１に係る電力量計用治具の詳細な斜視図である。図１６（ａ）（ｂ）に示すように、治具本体１５Ｈ１に治具取付部１５Ｉ１が取り付けられている。図１（ｃ）に示すように、カバーにはカバー開口部１１ａが形成され、カバー開口部１１ａに位置するように、カバー取付部にはカバーに嵌合する爪部１５ｉ、１５ｊが形成されている。その他の構成は、図１１乃至図１４に示す構成と同一である。
【００７３】
このように構成された実施例１１に係る電力量計用治具によれば、実施例９の電力量計用治具の効果が得られるとともに、電力量計用治具に爪部１５ｉ、１５ｊを設けたことで、電力量計用治具へのカバーの取り付け及び取り外しが容易になる。
【符号の説明】
【００７４】
１  回路部
１ａ  表示部
１ｂ  通信装置接続用コネクタ
２  センサ部
３  導体部
３ａ  基板接続部
３ｂ  端子接続部
４  ベース
４ａ  コネクタ通し穴
４ｂ  通信装置取付部
４ｃ  端子ブロック取付部
５  ケース
６  端子ブロック取付ねじ
７  導体接続ねじ
８  電流線取付ねじ
９  端子
１０  端子ブロック
１０ａ  ベース取付部
１０ｂ  カバー取付部
１０ｃ  電流線通し穴
１１，１１Ａ  カバー
１１ａ  カバー開口部
１１ｂ  突起部
１２  カバー取付ねじ
１２Ａ  上ケース
１３Ａ  下ケース
１３ｂ  計量装置取付部
１５，１５Ａ〜１５Ｉ  電力量計用治具
１５ａ  カバー取付部
１５ｂ  計量装置取付部
１５ｃ  治具本体
１５ｄ  側面部
１５ｅ  切欠部
１５ｆ  手持部
１５ｇ  開口部
１５ｈ  カバー取付部
１５ｉ，１５ｊ  爪部
１５ｋ  溝部
１５ｌ  長手部
１５ｍ  治具本体開口部
１５ｎ  計量装置爪部
１５ｐ  切欠溝
１５ｑ  長手部
１５ｒ  穴
１５ｓ  側面部
１５ｔ  凹部
１５ｕ  切欠溝
１５ｖ  長手部
１５ｗ  側面部
１５ｘ  段部
１５ｙ  凸部
１６  傾き防止支持部
１７  治具取付ねじ
２０  取付台
【図１】
2019105493.tif 000003
【図２】
2019105493.tif 000004
【図３】
2019105493.tif 000005
【図４】
2019105493.tif 000006
【図５】
2019105493.tif 000007
【図６】
2019105493.tif 000008
【図７】
2019105493.tif 000009
【図８】
2019105493.tif 000010
【図９】
2019105493.tif 000011
【図１０】
2019105493.tif 000012
【図１１】
2019105493.tif 000013
【図１２】
2019105493.tif 000014
【図１３】
2019105493.tif 000015
【図１４】
2019105493.tif 000016
【図１５】
2019105493.tif 000017
【図１６】
2019105493.tif 000018
【図１７】
2019105493.tif 000019
【図１８】
2019105493.tif 000020
【図１９】
2019105493.tif 000021
【図２０】
2019105493.tif 000022
【図２１】
2019105493.tif 000023